(57)【要約】【課題】樹脂製シャーシを用いた画像読取装置において、その内部をなるべく全体的に暖めることができるようにすること。【解決手段】結露防止用のヒーター７０が、樹脂製シャーシ６０よりも熱伝導性に優れた材料で形成された中間放熱板７５を介して樹脂製シャーシ６０内でその底面板部６２に固定されている。【選択図】図１
2008053777.tif 000002
【特許請求の範囲】
【請求項１】
筺状に形成された樹脂製シャーシと、
前記樹脂製シャーシよりも熱伝導性に優れた材料により形成され、前記樹脂製シャーシ内に固定された中間放熱板と、
前記中間放熱板に取付けられたヒーターと、
を備えたことを特徴とする画像読取装置。
【請求項２】
請求項１記載の画像読取装置であって、
前記中間放熱板の平面視における大きさは、前記ヒーターの平面視における大きさよりも大きいことを特徴する画像読取装置。
【請求項３】
請求項１又は請求項２記載の画像読取装置であって、
前記中間放熱板は金属製であることを特徴とする画像読取装置。
【請求項４】
請求項１〜請求項３のいずれかに記載の画像読取装置であって、
前記樹脂製シャーシの上部にプラテンガラスが設置されており、
前記樹脂製シャーシ内には、前記プラテンガラスに載置された原稿を読取るための原稿読取光学系機構が収容されていることを特徴とする画像読取装置。
【請求項５】
請求項１〜請求項４のいずれかに記載の画像読取装置であって、
前記樹脂製シャーシを構成する構成板との間に隙間を設けるように前記中間放熱板を取付けたことを特徴とする画像読取装置。
【請求項６】
請求項５記載の画像読取装置であって、
前記隙間は封止されていることを特徴とする画像読取装置。
【請求項７】
請求項６記載の画像読取装置であって、
前記隙間は前記樹脂製シャーシを構成する構成板を補強するリブ部によって封止されていることを特徴とする画像読取装置。
【請求項８】
請求項１〜請求項７のいずれかに記載の画像読取装置であって、
前記中間放熱板はアースされていることを特徴とする画像読取装置。
【請求項９】
請求項１〜請求項８のいずれかに記載の画像読取装置であって、
前記中間放熱板を波状に形成したことを特徴とする画像読取装置。
【請求項１０】
請求項１〜請求項９のいずれかに記載の画像読取装置であって、
前記ヒーターは、介在板を介して前記中間放熱板に取付けられたことを特徴とする画像読取装置。
【請求項１１】
請求項１０記載の画像読取装置であって、
前記介在板はバネ鋼により形成されていることを特徴とする画像読取装置。
【請求項１２】
請求項１０記載の画像読取装置であって、
前記介在板はアルミ板により形成されていることを特徴とする画像読取装置。
【請求項１３】
請求項１〜請求項１２のいずれかに記載の画像読取装置であって、
前記ヒーターは、前記樹脂製シャーシを構成する底面構成板の略中央部に設けられていることを特徴する画像読取装置。
【発明の詳細な説明】
【技術分野】
【０００１】
この発明は、画像読取装置に結露防止ヒーターを組込む技術に関する。
【背景技術】
【０００２】
画像読取装置は、筐体部の上面にプラテンガラスが取付けられており、そのプラテンガラスの下方をキャリッジが走査自在に構成されている。そして、プラテンガラス上に原稿を載置した状態で、キャリッジを走査することで、当該原稿が読取られるようになっている。
【０００３】
このような画像読取装置では、筐体部内の諸部品、特に、光学系部品に対する結露を防止するために、結露防止ヒーターが組込まれることがある。
【０００４】
本願発明に関連する先行技術としては、例えば特許文献１に記載のものがある。
【０００５】
【特許文献１】特開２００４−１７５４６６号公報
【発明の開示】
【発明が解決しようとする課題】
【０００６】
ところで、上記のような画像処理装置では、結露防止ヒーターによって筐体部内の全体を暖めることが重要となる。
【０００７】
ここで、例えば、筐体部が金属製シャーシによって構成されている場合には、結露防止ヒーターを金属製シャーシに固定することによって、金属シャーシの伝熱性を利用して筐体部内の全体を暖めることが期待できる。
【０００８】
ところが、筐体部が樹脂製シャーシによって構成されているような場合には、シャーシによる伝熱性を期待できず、結露防止ヒーターの固定部分だけが局所的に暖められてしまうことになる。
【０００９】
そこで、本発明は、樹脂製シャーシを用いた画像読取装置において、その内部をなるべく全体的に暖めることができるようにすることを目的とする。
【課題を解決するための手段】
【００１０】
上記課題を解決するためこの発明は、筺状に形成された樹脂製シャーシと、前記樹脂製シャーシよりも熱伝導性に優れた材料により形成され、前記樹脂製シャーシ内に固定された中間放熱板と、前記中間放熱板に取付けられたヒーターと、を備えたものである。
【００１１】
この場合に、前記中間放熱板の平面視における大きさは、前記ヒーターの平面視における大きさよりも大きくてもよい。
【００１２】
また、前記中間放熱板は金属製であってもよい。
【００１３】
また、前記樹脂製シャーシの上部にプラテンガラスが設置されており、前記樹脂製シャーシ内には、前記プラテンガラスに載置された原稿を読取るための原稿読取光学系機構が収容されていてもよい。
【００１４】
さらに、前記樹脂製シャーシを構成する構成板との間に隙間を設けるように前記中間放熱板を取付けてもよい。
【００１５】
また、前記隙間は封止されていてもよい。
【００１６】
この隙間は前記樹脂製シャーシを構成する構成板を補強するリブ部によって封止されているとよい。
【００１７】
また、前記中間放熱板はアースされていてもよい。
【００１８】
さらに、前記中間放熱板を波状に形成するとよい。
【００１９】
また、前記ヒーターは、介在板を介して前記中間放熱板に取付けられていてもよい。
【００２０】
また、前記介在板はバネ鋼により形成されていてもよく、また、介在板はアルミ板により形成されていてもよい。
【００２１】
さらに、前記ヒーターは、前記樹脂製シャーシを構成する底面構成板の略中央部に設けられていてもよい。
【発明の効果】
【００２２】
この発明の画像読取装置によると、前記樹脂製シャーシよりも熱伝導性に優れた材料により形成され、前記樹脂製シャーシ内に固定された中間放熱板と、前記中間放熱板に取付けられたヒーターとを備えているため、ヒーターの熱は中間放熱板に伝わり、中間放熱板からも放熱される。このため、樹脂製シャーシ内をなるべく全体的に暖めることができる。
【００２３】
また、前記中間放熱板の平面視における大きさは、前記ヒーターの平面視における大きさよりも大きいと、樹脂製シャーシ内をより効果的に全体的に暖めることができる。
【００２４】
前記中間放熱板は金属製であると、金属板は比較的熱伝導性がよいので、樹脂製シャーシ内をより効果的に全体的に暖めることができる。
【００２５】
また、前記樹脂製シャーシの上部にプラテンガラスが設置されており、前記樹脂製シャーシ内には、前記プラテンガラスに載置された原稿を読取るための原稿読取光学系機構が収容されている場合には、結露による影響が大きい。そこで、上記のようなヒーター及び中間放熱板を用いて樹脂製シャーシ内をなるべく全体的に暖めることができることは有効かつ重要な結露対策となる。
【００２６】
また、前記樹脂製シャーシを構成する構成板との間に隙間を設けるように前記中間放熱板を取付けると、ヒーターで生じた熱が外部に放熱され難い。従って、樹脂製シャーシ内を有効に暖めることができる。
【００２７】
また、前記隙間が封止されていると、ヒーターで生じた熱がより外部に放熱され難くなり、樹脂製シャーシ内を有効に暖めることができる。
【００２８】
また、前記隙間は前記樹脂製シャーシを構成する構成板を補強するリブ部によって封止されていると、リブ部によって補強機能と封止機能とを実現でき、構成を比較的簡易にすることができる。
【００２９】
また、中間放熱板がアースされていると、その中間放熱板で電磁的なシールドを行うことができる。
【００３０】
また、前記中間放熱板を波状に形成することで、中間放熱板による放熱面積を増大させて、樹脂製シャーシ内をより有効に全体的に暖めることができる。
【００３１】
また、前記ヒーターは、介在板を介して中間放熱板に取付けられていると、その介在板に、例えば曲げ起し固定構造等のヒーターの取付構造を作り込むことができる。そして、その介在板を中間放熱板に固定することで、ヒーターの取付を行える。これにより、中間放熱板自体にヒーターを固定するための構造を作り込む必要がなく、中間放熱板の機能をあまり損うことなくヒーターを固定することができる。
【００３２】
また、前記介在板はバネ鋼やアルミ板により形成されていると、介在板と中間放熱板との密着性を高めて、ヒーターから中間放熱板へ効率よく熱を伝えることができる。
【００３３】
また、前記ヒーターは、前記樹脂製シャーシを構成する底面構成板の略中央部に設けられていると、樹脂製シャーシ内を底面構成板の略中央部を中心にして暖めることができ、より全体的に暖めることができる。
【発明を実施するための最良の形態】
【００３４】
以下、この発明の実施形態に係る画像読取装置について説明する。本実施形態では、画像読取装置を、デジタル複合機に適用した例で説明する。
【００３５】
＜１．デジタル複合機の全体構成＞
まず、デジタル複合機の全体構成について説明する。図１は実施形態に係るデジタル複合機の全体構成を示す斜視図である。なお、各図には、説明の便宜上、デジタル複合機に組込まれた状態を基準にして、上下方向、前後方向、および左右方向を示す座標軸を付している。
【００３６】
このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００３７】
より具体的には、このデジタル複合機１０では、画像形成機能を担う記録部２０の上方に、画像読取機能を担う読取部３０が配設されている。
【００３８】
記録部２０は、画像形成、即ち、用紙に所定の印刷処理を施して記録紙を形成するように構成されている。より具体的には、記録部２０は、少なくとも一つの給紙カセット２２の上方に、記録装置としての印刷部２４が配設された構成となっている。そして、給紙カセット２２に収容される用紙を印刷部２４へ給紙して印刷した後に、記録紙として外部等へ排出する構成となっている。
【００３９】
読取部３０は、画像読取、即ち、原稿の情報を画像データとして読取るように構成されている。ここでは、読取部３０は、フラットベッド方式（ＦＢＳ）のスキャナとして原稿を読取ると共に、シートフィード方式のスキャナとして原稿を読取り可能に構成されている。なお、フラットベッド方式のスキャナとは、原稿を静止させた状態でキャリッジ３８ａ，３８ｂを適宜移動させることで該原稿を読取る構成である。また、シートフィード方式のスキャナとは、キャリッジ３８ａ，３８ｂを一定位置に配設した状態で原稿を搬送することで該原稿の読取りを行う構成である。
【００４０】
より具体的には、読取部３０は、記録部２０の上方に設けられた画像読取本体部３２の上方に、原稿押えカバー部４０が設けられた構成とされている。
【００４１】
画像読取本体部３２は、平面視略方形状の筐体部３３の上面にコンタクトガラス３５及びプラテンガラス３６が取付けられると共に、筐体部３３内に画像を読取るための各種要素が収容された構成とされている。
【００４２】
より具体的には、筐体部３３の上面に、略方形板状の透明部材であるプラテンガラス３６が配設されている。このプラテンガラス３６は、載置される原稿を広げて載置可能な十分な広がりを持つ大きさに形成されている。また、筐体部３３の上面であってプラテンガラス３６の一側方に、略長方形板状の透明部材であるコンタクトガラス３５が配設されている。コンタクトガラス３５は、搬送される原稿の幅に応じた長さ寸法を有している。
【００４３】
また、筐体部３３内には、主としてキャリッジ３８ａ，３８ｂと受光部３９とヒーター７０とが設けられている。
【００４４】
キャリッジ３８ａ，３８ｂは、それぞれ図示省略の移動手段によりプラテンガラス３６の下方を独立して移動可能に構成されている。一方のキャリッジ３８ａは、ミラー等の反射部材と光源とを有しており、光源からの光をプラテンガラス３６上の原稿に照射すると共に、当該原稿からの光を反射部材で反射して他方のキャリッジ３８ｂに導く。他方のキャリッジ３８ｂは、ミラー等の反射部材を有しており、前記一方のキャリッジ３８ａからの光を受光部３９に導く。
【００４５】
そして、プラテンガラス３６の下方で一方側のキャリッジ３８ａを移動させる際に、他方のキャリッジ３８ｂをその同方向に向けて前記キャリッジ３８ａの移動速度の略半分の速度で移動させる。これにより、原稿からの反射光がキャリッジ３８ａ，３８ｂを経由して受光部３９に至る光路長を一定に維持したまま、プラテンガラス３６上の原稿を読取ることができるようになっている。
【００４６】
また、受光部３９は、レンズ等の光学手段及びＣＣＤ等の撮像素子を内蔵している。そして、原稿からの反射光がキャリッジ３８ａ、３８ｂ等を介して本受光部３９に導かれると、導かれた光３９Ｌが光学手段により撮像素子の撮像面に結像される。これにより、原稿からの反射光が光電変換によって電気信号に変換される。
【００４７】
また、この画像読取本体部３２内には、ヒーター７０及び中間放熱板７５が取付けられる。その具体的構成については後に詳述する。
【００４８】
原稿押えカバー部４０は、原稿押え部４０ａと自動原稿搬送装置４５とを有している。この原稿押えカバー部４０は、画像読取本体部３２の一側にヒンジ部３１を介して開閉自在に取付けられている。そして、原稿押えカバー部４０を閉じた状態で、原稿押え部４０ａがプラテンガラス３６の上方を覆うと共に、自動原稿搬送装置４５がコンタクトガラス３５の上方に配置されるようになっている。
【００４９】
そして、シートフィード方式にて原稿読取を行う場合には、キャリッジ３８ａをコンタクトガラスの下方で静止させた状態で、自動原稿搬送装置４５により原稿をコンタクトガラス３５に接触させるように搬送することで、当該原稿が読取られるようになっている。
【００５０】
また、上記読取部３０の一側方（前方）には、操作パネル５０が設けられている。操作パネル５０には、各種スイッチ５２及びタッチパネル５４が設けられている。各種スイッチ５２は本デジタル複合機１０に対する諸操作を受付ける。タッチパネル５４は、そのような諸操作を受付けると共に、本デジタル複合機１０の動作状況、操作内容等を表示する表示手段としても機能する。
【００５１】
＜２．ヒーター及び中間放熱板の取付構成の詳細＞
画像読取本体部３２内にヒーター７０及び中間放熱板７５を取付ける構成について詳細に説明する。図２は樹脂製シャーシ内におけるヒーター及び中間放熱板の取付構成を示す斜視図であり、図３は同ヒーター及び中間放熱板の取付構成を示す分解斜視図であり、同ヒーター及び中間放熱板の取付構成を示す断面図である。
【００５２】
上述したように、画像読取本体部３２は、筐体部３３の上面にコンタクトガラス３５及びプラテンガラス３６が取付けられると共に、筐体部３３内に原稿を読取るための原稿読取光学系機構としてキャリッジ３８ａ，３８ｂや受光部３９が収容された構成とされている。
【００５３】
上記筐体部３３は、樹脂製シャーシ６０を備えている。なお、樹脂製シャーシ６０は、筐体部３３の基本的土台を構成する部分であり、筐体部３３全体としては樹脂製シャーシ６０に他の樹脂部材や補強用の金属部品等が取付けられていてもよい。
【００５４】
樹脂製シャーシ６０は、上方が開口する扁平な筺状に形成されている。より具体的には、樹脂製シャーシ６０は、略方形の底面板部６２の周囲四方を囲うように４つの側板部６４が立設された構成とされている。これらの底面板部６２及び側板部６４は、樹脂製シャーシ６０を構成する構成板であり、底面板部６２は底面構成板である。なお、本実施形態では、樹脂製シャーシ６０の一側部（後側部）に延出部６１が形成されており、この延出部６１に適宜基板及び配線が取付けられるようになっている。
【００５５】
図３に示すように、底面板部６２の内面（上面）にはその縦横（ここでは左右前後）に沿って延びる直線状突起に形成された突条部分であるリブ部６３，６３ａが形成されている。このリブ部６３は、底面板部６２を平面形状に保つように補強する役割を有している。特に、底面板部６２の略中央部には、略方形領域を囲うように延びるリブ部６３ａが形成されている。このリブ部６３ａの４隅にはネジＳ１が螺合可能なネジ孔６３ｈを有するネジ固定部６３ｂが形成されている。そして、後述する中間放熱板７５が当該ネジ固定部６３ｂを利用して本リブ部６３ａに取付固定される。
【００５６】
この樹脂製シャーシ６０には、介在板８０及び中間放熱板７５を介してヒーター７０が固定されている。
【００５７】
ヒーター７０は、熱を発する部材であり、主要な目的は樹脂製シャーシ６０内を加熱してその内部部品の結露を防止するものである。ここでは、ヒーター７０は、平面視略長方形状で扁平な略直方体形状に形成されている。このようなヒーター７０は、例えば、発熱用の抵抗体を耐熱樹脂等でパッケージングすることにより形成されている。そして、ヒーター７０から引出された配線７１を介してヒーター７０内に通電することで熱を発するようになっている。
【００５８】
介在板８０は、ヒーター７０を中間放熱板７５に取付けるための部材である。この介在板８０は、バネとして用いられるバネ鋼若しくはアルミ板により形成されており、また、このようなバネ鋼若しくはアルミ板は、上記樹脂製シャーシ６０よりも熱伝導性に優れている。
【００５９】
より具体的には、介在板８０は、略方形板状のバネ鋼板若しくはアルミ板を適宜打抜屈曲加工することにより形成された部材である。すなわち、介在板８０は、上記ヒーター７０の平面視の大きさよりも大きな広がりを有する平面視略長方形状の主板部８１の一側部から上方に向けて側板部８２が立上がるように屈曲された形状とされている。また、ヒーター７０の一側部を側板部８２に当接させるようにして、ヒーター７０の一主面である下面を主板部８１の一主面である上面に当接させるように配設した状態で、ヒーター７０の他の３方を囲むライン（図３の主板部８１上の２点鎖線参照）に沿って適宜間隔でヒーター保持片８１Ｐが切り起されている。そして、主板部８１上の所定位置にヒーター７０を配設した状態で、ヒーター保持片８１Ｐのうちヒーター７０を上方向に越える部分をヒーター７０の上面側に曲げることで、当該ヒーター７０がその下面を主板部８１の上面に面接触させた状態で介在板８０に取付固定される。
【００６０】
また、主板部８１にはネジＳ２が挿通可能なネジ挿通孔８１ｈが形成されている。ここでは、主板部８１の長手方向中間部であってヒーター７０の側方の位置にネジ挿通孔８１ｈが形成されている。
【００６１】
中間放熱板７５は、樹脂製シャーシ６０よりも熱伝導性に優れた材料により形成され、前記樹脂製シャーシ６０内で当該樹脂製シャーシ６０に固定された部材である。より具体的には、中間放熱板７５は、熱伝導性に優れた材料で形成された板部材であり、ここでは金属板部材である。中間放熱板７５は、上記リブ部６３ａによって囲まれる略方形領域よりも大きな広がりを有する平面視略方形板状の部材により形成されている。また、この中間放熱板７５の平面視における大きさは、ヒーター７０の平面視における大きさよりも大きい。換言すれば、中間放熱板７５の底面板部６２に対する投影面積は、ヒーター７０の底面板部６２に対する投影面積よりも大きい。
【００６２】
また、この中間放熱板７５のうち上記介在板８０のネジ挿通孔８１ｈが配設される部分にネジＳ２が螺合可能なネジ孔７６ｈが形成されている。
【００６３】
そして、上記ネジＳ２を介在板８０のネジ挿通孔８１ｈに挿通させてネジ孔７６ｈに螺合させることで、介在板８０が本中間放熱板７５にねじ止固定される。この状態では、介在板８０の他主面である下面が中間放熱板７５の一主面である上面に面接触している。特に、介在板８０はバネ鋼若しくはアルミ板により形成されているので、ネジ孔７６ｈ周縁部のバリや介在板８０に多少の湾曲が存在していても、中間放熱板７５の上面に面接触するように介在板８０自体が弾性変形する。従って、介在板８０をより確実に中間放熱板７５の上面に面接触させることができる。これにより、ヒーター７０が介在板８０を介して中間放熱板７５に取付けられる。
【００６４】
さらに、中間放熱板７５の４隅のうち上記ネジ孔６３ｈに対応する部分にネジＳ１が挿通可能なネジ挿通孔７７ｈが形成されている。そして、中間放熱板７５を、略方形領域を囲うリブ部６３ａ上に配設するようにして、４つのネジＳ１（図３では３つのみ図示）をそれぞれネジ挿通孔７７ｈに挿通させてネジ孔６３ｈに螺合させることで、中間放熱板７５が樹脂製シャーシ６０の底面板部６２の内側に取付固定される。つまり、ヒーター７０は、介在板８０及び中間放熱板７５を介して樹脂製シャーシ６０の底面板部６２の内側であってその略中央部に取付固定される。
【００６５】
この状態では、中間放熱板７５と底面板部６２の上面との間に、リブ部６３ａの高さ寸法に応じた隙間Ｃが設けられる（図４参照）。この隙間Ｃは、上下を中間放熱板７５と底面板部６２とによって、周囲４方をリブ部６３ａによって封止された空間である。なお、ここでの封止は必ずしも密封状態に封止されている必要はなく、前記隙間Ｃ内の空気が他に流動し難い程度に遮られていればよい。
【００６６】
なお、上記ネジＳ１のうちの一つは、圧着端子７８の環状部分７８ａを挿通させた状態で上記ねじ止がなされており、当該圧着端子７８がネジＳ１のネジ頭と中間放熱板７５との間に挟持されている。圧着端子７８から引出された電線７９は、本デジタル複合機１０内のアースボディに接続される。ここでは、電線７９を受光部３９のケーシングに接地している。これにより、中間放熱板７５がアースされている。
【００６７】
以上のように構成された画像読取装置によると、樹脂製シャーシ６０よりも熱伝導性に優れた材料（ここでは金属製）で形成され、その樹脂製シャーシ６０内に固定された中間放熱板７５と、その中間放熱板７５に取付けられたヒーター７０とを備えているため、ヒーター７０の熱は中間放熱板７５にも伝わり、中間放熱板７５の表面からも発散される。このため、例えば、ヒーター７０を単独で設置した場合と比べて、樹脂製シャーシ６０で熱を集中させることなくより広い面積で放熱を行うことができ、樹脂製シャーシ６０をなるべく全体的に暖めることができる。これにより、樹脂製シャーシ６０内の各部に収容された各部品に対して有効な結露対策を図ることができる。
【００６８】
また、中間放熱板７５の平面視における大きさは、ヒーター７０の平面視における大きさよりも大きいため、樹脂製シャーシ６０をより効果的に全体的に暖めることができる。
【００６９】
しかも、中間放熱板７５は金属製であるため、ヒーター７０で生じた熱は特に効率よく伝達され、樹脂製シャーシ６０をより効果的に全体的に暖めることができる。
【００７０】
しかも、樹脂製シャーシ６０は樹脂製であるため、ヒーター７０の設置部分を裏面側から触っても熱さを感じ難いというメリットもある。
【００７１】
また、樹脂製シャーシ６０の上部にプラテンガラス３６が設置されると共に、樹脂製シャーシ６０内には原稿読取りのための光学系機構としてキャリッジ３８ａ，３８ｂや受光部３９が収容されるところ、これらは結露による影響が大である。そこで、上記のようなヒーター７０及び中間放熱板７５を用いて樹脂製シャーシ６０を暖めることで有効かつ重要な結露対策を実現できる。
【００７２】
また、樹脂製シャーシ６０を構成する構成板である底面板部６２と中間放熱板７５との間に隙間Ｃを設けているので、隙間Ｃがヒーター７０で生じた熱を外部に発散するのを断熱する役割を果す。このため、ヒーター７０で生じた熱が樹脂製シャーシ６０の外に放熱され難くなり、樹脂製シャーシ６０内全体を効率的に暖めることができる。
【００７３】
しかも、その隙間Ｃは周囲から封止されているので、より断熱効果が高い。従って、樹脂製シャーシ６０内全体をより効率的に暖めることができる。
【００７４】
さらに、底面板部６２を補強するリブ部６３ａを、隙間Ｃを封止する部材として用いているので、リブ部６３ａによって底面板部６２の補強機能と上記封止機能とを実現できる。このため、構成を比較的簡易にすることができる。
【００７５】
また、中間放熱板７５をアースしているので、その中間放熱板７５によって電磁的なシールド、例えば、ヒーター７０で生じた電磁波をデジタル複合機１０の他の部分やデジタル複合機１０外に放出されるのを電磁シールドすることができる。
【００７６】
また、上記ヒーター７０は介在板８０を介して中間放熱板７５に取付けられている。このため、その介在板８０にヒーター７０を固定するための取付構造を作り込むことができる。ここでは、介在板８０にヒーター保持片８１Ｐを切り起し、そのヒーター保持片８１Ｐでヒーター７０を抱持状に固定している。このような取付構造としているのは、ヒーター７０自体にネジ止め構造を形成することができないからである。仮にこのようなヒーター保持片８１Ｐを中間放熱板７５に形成すると、中間放熱板７５の放熱面積が減少してしまうし、また、隙間Ｃの封止性を損う。そこで、ヒーター保持片８１Ｐのようなヒーター７０の取付構造を介在板８０に形成し、この介在板８０を中間放熱板７５に取付けることで、中間放熱板７５や隙間Ｃの機能をあまり損うことなくヒーター７０の取付を行うことができる。
【００７７】
しかも、介在板８０はバネ鋼若しくはアルミ板により形成されているため、介在板８０を中間放熱板７５の上面に沿って弾性変形させることで、介在板８０の下面を中間放熱板７５の上面により確実に面接触させることができる。従って、介在板８０と中間放熱板７５との密着性を高めて、ヒーター７０から介在板８０を経由して中間放熱板７５へ効率よく熱を伝えることができる。
【００７８】
さらに、ヒーター７０は、樹脂製シャーシ６０の構成する底面板部６２の略中央部に設けられているため、底面板部６２の略中央部からその周囲を効率よく暖めることができる。
【００７９】
＜３．変形例＞
以上、本発明の実施の形態について説明してきたが、本発明は上記実施の形態に限定されるものではなく様々な変形が可能である。
【００８０】
例えば、上記実施形態では、画像読取りを行うための原稿読取光学系機構が収容された樹脂製シャーシ６０内にヒーター７０及び中間放熱板７５を取付固定した例で説明したが、その他の制御基板や駆動機構を収容した樹脂製シャーシ内にヒーター７０及び中間放熱板７５を取付固定してもよい。
【００８１】
また、上記実施形態において、図５に示すように、中間放熱板１７５を波状に形成してもよい。これにより、中間放熱板１７５による放熱面積を増大させて、樹脂製シャーシ６０内をより有効に全体的に暖めることができる。なお、中間放熱板１７５は、部分的に波状に形成されていても、全体的に波状に形成されていてもよい。もっとも、ヒーター７０又は介在板８０を取付ける部分は、ヒーター７０又は介在板８０の形状にあわせて平面状に形成されていることが好ましい。もっとも、このように構成する場合には、波状部とリブとの間に弾性部材を間挿させるとよい。これにより、前述した隙間Ｃの封止性を確保することができ、より効果的に装置外部への放熱を遮断することが可能となる。
【００８２】
また、上記介在板８０を省略しヒーター７０を中間放熱板７５に直接固定するようにしてもよい。この場合の固定構造としては、ねじ止固定されたブラケット等によりヒーター７０を中間放熱板７５に圧接させるように固定する構成や、ヒーター７０にネジ挿通孔を形成して中間放熱板７５にねじ止固定する構成、ヒーター７０を接着剤により固定する構成等、種々の構成を採用できる。
【００８３】
また、上記隙間Ｃは必須のものではなく、中間放熱板７５は底面板部６２に面接触するように固定されていてもよい。
【００８４】
また、隙間Ｃを設けた構成において、隙間Ｃは必ずしも封止されている必要はない。
【００８５】
また、隙間Ｃが封止された構成において、リブ部６３ａ以外で封止されていもてよい。例えば、中間放熱板７５の４方を底面板部６２に向けて折曲げ、その折曲げた部分で隙間Ｃの四方を封止するようにしてもよい。また、隙間Ｃの４方を囲む別部材で封止するようにしてもよい。
【００８６】
また、本実施形態では、ヒーター７０及び中間放熱板７５を底面板部６２に取付けているが、必ずしもその必要はなく、例えば、側板部６４に取付けられていてもよい。つまり、ヒーター７０及び中間放熱板７５は、樹脂製シャーシ６０に固定されることで、又は、他の部材を介して樹脂製シャーシ６０に固定されることで、当該樹脂製シャーシ６０内に固定されていればよい。
【００８７】
また、本実施形態では、ＦＡＸ機能、コピー機能、スキャン機能、プリント機能などの諸機能を有するデジタル複合機に適用した例で説明したが、必ずしもこれに制限されない。つまり、本発明は、画像読取りを行うスキャナ装置やＦＡＸ装置、コピー装置等、種々の画像読取装置に適用可能である。
【図面の簡単な説明】
【００８８】
【図１】実施形態に係るデジタル複合機の全体構成を示す斜視図である。
【図２】樹脂製シャーシ内におけるヒーター及び中間放熱板の取付構成を示す斜視図である。
【図３】同ヒーター及び中間放熱板の取付構成を示す分解斜視図である。
【図４】同ヒーター及び中間放熱板の取付構成を示す断面図である。
【図５】中間放熱板の変形例を示す分解斜視図である。
【符号の説明】
【００８９】
１０  デジタル複合機
３２  画像読取本体部
３３  筐体部
３８ａ，３８ｂ  キャリッジ
３９  受光部
６０  樹脂製シャーシ
６２  底面板部
６３，６３ａ  リブ部
７０  ヒーター
７５，１７５  中間放熱板
７８  圧着端子
７９  電線
８０  介在板
Ｃ  隙間
【図１】
2008053777.tif 000003
【図２】
2008053777.tif 000004
【図３】
2008053777.tif 000005
【図４】
2008053777.tif 000006
【図５】
2008053777.tif 000007